(57)【要約】      （修正有）【課題】サポート部材を持つ容器ホルダであり、嵩張らず、かつ、意匠性に優れるものを提供する。【解決手段】容器ホルダに、収容空間８０を有するケースと、展開位置と退避位置との間を状態変化するサポート部材２と、サポート部材２を展開位置に付勢する付勢部材６と、を設け、ケースの側壁１２にサポート部材２が出入りするサポート開口１５を設け、第１軸支部２１および第１先端部２２を持つ上サポート２０と第２軸支部３１および第２先端部３２を持つ下サポート３０とサポート部材２を構成し、第１先端部２２が第１軸支部２１よりも下方に位置するようにし、第２先端部３２が第２軸支部３１よりも上側に位置するようにし、第１先端部２２と第２先端部３２とが互いに相対位置変化可能であるように上サポート２０と下サポート３０とが係合して互いに連動するようにする。【選択図】図３
2015217854.tif 000002
【特許請求の範囲】
【請求項１】
上方に開口する収容空間と、前記収容空間の少なくとも一部を区画する側壁と、前記側壁に設けられたサポート開口と、を有するケースと、
少なくとも一部が前記サポート開口を経て前記収容空間に露出する展開位置と、前記収容空間への露出量が前記展開位置における前記収容空間への露出量よりも小さい退避位置と、の間を状態変化するサポート部材と、
前記サポート部材を前記展開位置に付勢する付勢部材と、を有し、
前記サポート部材は、
前記ケースに直接的または間接的に軸支される第１軸支部と、前記第１軸支部よりも下方に位置し前記展開位置における突出端となる第１先端部と、を持つ上サポートと、
前記第１軸支部よりも下方で前記ケースに直接的または間接的に軸支される第２軸支部と、前記第２軸支部よりも上方に位置し前記展開位置における突出端となる第２先端部と、を持つ下サポートと、を有し、
前記第１先端部と前記第２先端部とが互いに相対位置変化可能であるように、前記上サポートと前記下サポートとは係合して互いに連動する、容器ホルダ。
【請求項２】
前記下サポートの前記第２軸支部は、前記収容空間の外部かつ前記サポート開口の下端部よりも下方に位置する請求項１に記載の容器ホルダ。
【請求項３】
前記サポート部材が前記展開位置にあるときに、前記サポート開口の内部において、前記サポート開口の下端と前記下サポートとの距離が可及的に小さくされている請求項１または請求項２に記載の容器ホルダ。
【請求項４】
前記サポート開口の下端と前記下サポートとの距離は、前記サポート開口の内部において、前記サポート部材が前記展開位置にあるときに最小となる、請求項１〜請求項３の何れか一項に記載の容器ホルダ。
【請求項５】
前記サポート部材が前記退避位置にあるときに、前記上サポートが前記サポート開口を塞ぐ請求項１〜請求項４の何れか一項に記載の容器ホルダ。
【請求項６】
前記上サポートは凹部を有し、前記下サポートの一部を前記凹部に収容するとともに、前記収容空間側において前記下サポートの少なくとも一部を覆う請求項１〜請求項５の何れか一項に記載の容器ホルダ。
【請求項７】
前記付勢部材は前記下サポートを付勢する請求項６に記載の容器ホルダ。
【発明の詳細な説明】
【技術分野】
【０００１】
本発明は容器を保持するための容器ホルダに関する。
【背景技術】
【０００２】
飲料の容器には大径のものから小径のものまで種々の形状のものがある。例えば、大径の容器としてはペットボトル型の容器や大径の紙コップ等を挙げることができ、小径の容器としては缶型の容器や小型の紙コップを挙げることができる。
【０００３】
一般的な容器ホルダは、収容空間を持つケースを持つ。収容空間は、一般には、ケースの側壁で区画され、容器を収容可能である。収容空間に収容された容器の側面は、ケースの側壁によって支持できる。ところで、大径の容器を収容するための大きな収容空間に小径の容器を収容する場合には、ケースの側壁と容器とが大きく離間するために、容器を安定して保持し難い問題がある。このため近年では、サポート部材を容器ホルダに設け、当該サポート部材によって小径の容器の側面を支持する技術が提案されている（例えば、特許文献１参照）。サポート部材としては、図８および図９に示すように、ケースに対して位置変化可能なものが挙げられる。具体的には、図８および図９に示す容器ホルダにおいては、サポート部材１０２はケース１００に直接的または間接的に軸支され、ケース１００に対して回動する。この種の容器ホルダにおいては、ケース１００の側壁１１２にサポート部材１０２が出入りする開口（サポート開口１１５と呼ぶ）を設けるとともに、図略の付勢部材（例えばバネ等）によってサポート部材１０２を収容空間１８０に突出する方向に付勢する。付勢部材によって付勢されたサポート部材１０２は、収容空間１８０の内部において、容器１９０の側面に圧接して容器１９０を支持する。このため、この種の容器ホルダによると小径の容器１９０を安定して保持することができる。以下、必要に応じて、容器ホルダの高さ方向と直交する方向を容器ホルダの幅方向と呼ぶ。
【０００４】
図８および図９に示す容器ホルダで大径の容器１９０を保持する場合には、容器１９０によってサポート部材１０２が収容空間１８０の外部（つまり、ケース１００における側壁１１２の外部）に向けて押圧される。このため、サポート部材１０２は収容空間１８０の外部に退避し、収容空間１８０の内部に大径の容器１９０を収容可能である。
【０００５】
ところで、図８および図９に示す従来の容器ホルダにおいては、収容空間１８０の外部に、サポート部材１０２を退避させる空間（以下、退避空間１８１と呼ぶ）が必要となる。このため、容器ホルダの外形は、サポート部材１０２の分だけ大きくなる。
【０００６】
容器ホルダの大型化を抑制するために、図１０および図１１に示すように、サポート部材１０２を二つの分体で構成することも考えられる。図１０および図１１に示す容器ホルダにおいては、一方の分体（上サポート１２０と呼ぶ）を他方の分体（下サポート１３０と呼ぶ）よりも上側に配置し、上サポート１２０をケース１００に軸支するとともに、ケース１００に設けたスライドレール１９５に下サポート１３０をスライド可能かつ回動可能に支持させる。この容器ホルダにおいては、上サポート１２０は回動し、下サポート１３０はスライドレール１９５に沿って上下方向、つまり容器ホルダの高さ方向にスライドしつつ回動する。上サポート１２０の突出端（第１先端部１２２と呼ぶ）は、下サポート１３０の突出端（第２先端部１３２と呼ぶ）に軸支されている。この容器ホルダにおけるサポート部材１０２は、図１０中実線で示す小容器支持位置においては、収容空間１８０の外部から内部に向けて容器ホルダの幅方向に突出するように状態変化する。そして、図１０中２点鎖線で示す退避位置においては、サポート部材１０２は、ケース１００の側壁１１２に沿って容器ホルダの高さ方向に長く延びるように状態変化する。換言すると、この種の容器ホルダは、下サポート１３０を容器ホルダの高さ方向にスライドさせることで、退避位置におけるサポート部材１０２が容器ホルダの幅方向に嵩張らないようにできる。したがって、この種の容器ホルダによると、容器ホルダの幅方向における退避空間１８１の大きさを小さくできる。つまり容器ホルダの大型化を抑制できる。
【０００７】
しかし、この種の容器ホルダにおけるサポート部材１０２は、容器ホルダの高さ方向において大きく変形する。そしてこれに対応すべく、上下方向、つまり、容器ホルダの高さ方向におけるサポート開口１１５の開口幅が大きい。このため、図１１に示すように、サポート部材１０２とサポート開口１１５との間に大きな隙間が生じる。特に、サポート部材１０２が収容空間１８０に大きく露出しているときに、サポート開口１１５の下端１１５ａと下サポート１３０との距離が大きければ、サポート開口１１５の内部が視認され、容器ホルダの意匠性を向上させ難い問題がある。
【先行技術文献】
【特許文献】
【０００８】
【特許文献１】特開２００２−２９３０４号公報
【発明の概要】
【発明が解決しようとする課題】
【０００９】
本発明は上記事情に鑑みてなされたものであり、サポート部材を持つ容器ホルダであり、嵩張らず、かつ、意匠性に優れるものを提供することを目的とする。
【課題を解決するための手段】
【００１０】
上記課題を解決する本発明の容器ホルダは、
上方に開口する収容空間と、前記収容空間の少なくとも一部を区画する側壁と、前記側壁に設けられたサポート開口と、を有するケースと、
少なくとも一部が前記サポート開口を経て前記収容空間に露出する展開位置と、前記収容空間への露出量が前記展開位置における前記収容空間への露出量よりも小さい退避位置と、の間を状態変化するサポート部材と、
前記サポート部材を前記展開位置に付勢する付勢部材と、を有し、
前記サポート部材は、
前記ケースに直接的または間接的に軸支される第１軸支部と、前記第１軸支部よりも下方に位置し前記展開位置における突出端となる第１先端部と、を持つ上サポートと、
前記第１軸支部よりも下方で前記ケースに直接的または間接的に軸支される第２軸支部と、前記第２軸支部よりも上方に位置し前記展開位置における突出端となる第２先端部と、を持つ下サポートと、を有し、
前記第１先端部と前記第２先端部とが互いに相対位置変化可能であるように、前記上サポートと前記下サポートとは係合して互いに連動するものである。
【発明の効果】
【００１１】
本発明の容器ホルダは、サポート部材を持つことで種々の径の容器を安定して保持でき、嵩張らず、かつ、意匠性に優れる。
【図面の簡単な説明】
【００１２】
【図１】実施例１の容器ホルダを模式的に表す分解斜視図である。
【図２】実施例１の容器ホルダの動作を説明する説明図である。
【図３】実施例１の容器ホルダの動作を説明する説明図である。
【図４】実施例１の容器ホルダの動作を説明する説明図である。
【図５】実施例１の容器ホルダの動作を説明する説明図である。
【図６】展開状態における実施例１の容器ホルダを模式的に表す要部拡大斜視図である。
【図７】実施例２の容器ホルダの動作を説明する説明図である。
【図８】従来の容器ホルダの動作を説明する説明図である。
【図９】従来の容器ホルダを模式的に表す要部拡大斜視図である。
【図１０】従来の容器ホルダの動作を説明する説明図である。
【図１１】従来の容器ホルダを模式的に表す要部拡大斜視図である。
【発明を実施するための形態】
【００１３】
以下、具体例を挙げて本発明の容器ホルダを説明する。以下、必要に応じて、容器ホルダのサポート部材が展開位置に配されている状態を容器ホルダの展開状態と呼び、サポート部材が退避位置に配されている状態を容器ホルダの退避状態と呼ぶ。
【００１４】
（実施例１）
実施例１の容器ホルダは、車両のコンソールボックスに配設されるドリンクホルダである。実施例１の容器ホルダを模式的に表す分解斜視図を図１に示す。実施例１の容器ホルダの動作を模式的に表す説明図を図２〜図５に示す。より詳しくは、図２において、実施例１の容器ホルダ装置は、展開状態と退避状態との間の状態にあり、小径の容器を収容かつ支持する。図３において、実施例１の容器ホルダは、展開状態にある。図４において、実施例１の容器ホルダは、展開位置と退避位置との間の状態にあり、大径の容器を収容かつ支持する。図５において、実施例１の容器ホルダは、退避位置にある。展開状態における実施例１の容器ホルダを模式的に表す要部拡大斜視図を図６に示す。以下、実施例において上、下、左、右とは図１に示す上、下、左、右を指す。
【００１５】
図１に示すように、実施例１の容器ホルダは、ケース１、サポート部材２、付勢部材６および蓋部７を有する。
【００１６】
ケース１は有底の略円筒状をなすケース部１０が左右方向に２つ配列してなり上方に開口する略箱状をなす。各ケース部１０は、半割筒状をなす分体１１が組み合わされてなり、上下に延びる略円筒状をなす側壁１２と側壁１２の下端を覆う略平板状の底壁１３と、を有する。各ケース部１０の側壁１２には、それぞれ３つずつのサポート開口１５が設けられている。サポート開口１５は長手方向を上下に向けた略矩形の貫通孔状をなす。各サポート開口１５には、それぞれ１つずつのサポート部材２が取り付けられている。また、各サポート部材２は略箱状をなす蓋部７でそれぞれ覆われている。なお、図１にはサポート部材２および蓋部７をそれぞれ１つのみ示したが、全てのサポート開口１５にはサポート部材２および蓋部７が取り付けられる。
【００１７】
蓋部７は、ケース部１０の側壁１２に嵌合し、ケース部１０の外方においてケース部１０に一体化される。図２に示すように、蓋部７は退避空間８１を区画する。つまり、サポート開口１５を境界として、ケース部１０の内部には収容空間８０が区画形成され、蓋部７の内部には退避空間８１が区画形成されている。実施例１の容器ホルダは、別々の二つの容器を保持可能な二つの収容空間８０を有する。
【００１８】
各サポート部材２は、上サポート２０と下サポート３０とを有する。上サポート２０は凹部２９を有する中空状をなす。付勢部材６はつる巻きバネからなる。
【００１９】
上サポート２０および下サポート３０は、各々、蓋部７に軸支されている。したがって、上サポート２０および下サポート３０は蓋部７を介してケース１に間接的に軸支されている。図２に示すように、上サポート２０は第１軸支部２１と第１先端部２２とを有する。第１軸支部２１は蓋部７に軸支されている。下サポート３０は第２軸支部３１と第２先端部３２とを有する。第２軸支部３１は第１軸支部２１よりも下方で蓋部７に軸支されている。図３に示すように、展開位置において、第１先端部２２は第１軸支部２１よりも下方に位置し、第２先端部３２は第２軸支部３１よりも上方に位置する。また、展開位置において、第１先端部２２は上サポート２０の突出端となり、第２先端部３２は下サポート３０の突出端となる。なお、第１軸支部２１および第２軸支部２２のケース１に対する位置は不動である。
【００２０】
図３に示すように、第１軸支部２１および第２軸支部３１はサポート開口１５よりも退避空間８１側に配置されている。つまり第１軸支部２１および第２軸支部３１は収容空間８０の外側に配置されている。また、第１軸支部２１はサポート開口１５の下端１５ａよりも上側かつサポート開口１５の上端１５ｂよりも下側に配置され、第２軸支部３１はサポート開口１５の下端１５ａよりも下側に配置されている。
【００２１】
上サポート２０と下サポート３０とは互いに係合している。詳しくは、上サポート２０は湾曲した溝状をなす上ガイド部２５を有し、下サポート３０はピン状をなす下ガイド部３５を有する。下ガイド部３５は上ガイド部２５に挿入され、上ガイド部２５内をスライド可能である。図２〜図５に示すように、下ガイド部３５が上ガイド部２５内をスライドすると、第１先端部２２と第２先端部３２との相対位置は変化する。このとき上サポート２０が第１軸支部２１を中心として図中反時計回りに回動するとともに、下サポート３０が第２軸支部３１を中心として図中時計回りに回動する。また、上ガイド部２５と下ガイド部３５とが係合しているため、上サポート２０および下サポート３０は互いに連動する。つまり、上サポート２０と下サポート３０とは、第１先端部２２と第２先端部３２とが互いに相対位置変化可能であるように係合し、互いに連動する。
【００２２】
付勢部材６の一端は蓋部７に固定され、他端は下サポート３０に固定されている。また、付勢部材６は図５に示す退避位置において付勢力を最大に蓄積した状態になり、図３に示す展開位置において付勢力が殆ど放出された状態になる。このため、付勢部材６の付勢力によって、下サポート３０は収容空間８０に向けて付勢され、下サポート３０に係合している上サポート２０もまた、下サポート３０に連動して収容空間８０に向けて付勢される。
【００２３】
以下に、実施例１の容器ホルダにおけるサポート部材２の動作を説明する。
【００２４】
サポート部材２は、図３に示す展開位置と図５に示す退避位置との間を位置変化する。図３に示す展開位置において、サポート部材２は付勢部材６に付勢されて収容空間８０に大きく露出する。このとき収容空間８０におけるサポート部材２の露出量は最大となる。
【００２５】
展開位置において、上サポート２０の第１先端部２２は、収容空間８０に突出する。下サポート３０の第２先端部３２もまた収容空間８０に突出するものの、上サポート２０の凹部２９に収容されているため、上サポート２０によって覆われ、収容空間８０側からは視認されない。下ガイド部３５は、上ガイド部２５における第１先端部２２側の部分に配置される。また、サポート開口１５の内部において、展開位置にある下サポート３０とサポート開口１５の下端１５ａとの距離は、可及的に小さくされている。具体的には、実施例１の容器ホルダでは、サポート開口１５の内部における、下サポート３０とサポート開口１５の下端１５ａとの距離は最小値０．１ｍｍ、最大値２ｍｍである。そして、下サポート３０とサポート開口１５の下端１５ａとの距離は、サポート部材２が展開位置にあるときに最小となる。
【００２６】
サポート部材２が図３に示す展開位置に配置されているときに、収容空間８０に容器を差し込むと、サポート部材２が容器に押されて状態変化する。詳しくは、容器が上サポート２０を上方から下方に向けて押圧し、容器に押圧された上サポート２０が第１軸支部２１を中心に回動する。上サポート２０の第１先端部２２は下方かつ退避位置側に向けて位置変化する。
【００２７】
そしてこのとき、上サポート２０に係合している下サポート３０もまた、上サポート２０に従動して回動する。詳しくは、図３に示したサポート部材２においては、上サポート２０は反時計回りに回転する。上サポート２０が回動すると、上サポート２０の上ガイド部２５が下サポート３０の下ガイド部３５に対して位置変化し、下ガイド部３５は上ガイド部２５内をスライドしつつ、上ガイド部２５に追従して位置変化する。このため下サポート３０は第２軸支部３１を中心に時計回りに回動する。つまり、上サポート２０と下サポート３０とは逆方向に回動する。その結果、サポート部材２は図３に示す展開位置から図２に示す位置（小容器支持位置と呼ぶ）に状態変化する。そして、サポート部材２は、付勢部材の６付勢力によって小径の容器９０の側面に圧接し、小径の容器９０の側面を支持する。
【００２８】
このとき、上サポート２０および下サポート３０は収容空間８０から退避空間８１に向けて位置変化し、サポート部材２は全体として収容空間８０から退避空間８１に向けて位置変化する。小容器支持位置は、展開位置と退避位置との間の位置である。サポート部材２が展開位置から小容器支持位置に向けて状態変化する際に、下サポート３０は上方かつ退避位置側に向けて（つまりサポート開口１５の下端１５ａから離れる方向に）回動する。したがって、サポート開口１５の内部におけるサポート開口１５の下端１５ａと下サポート３０との距離は、サポート部材２が展開位置にあるときに比べて大きくなる。以下、必要に応じて、「サポート開口１５の内部における、サポート開口１５の下端１５ａと下サポート３０との距離」を「サポート開口下端１５ａと下サポート３０との距離」と呼ぶ。また、「サポート開口１５の内部における、サポート開口１５の下端１５ａと上サポート２０との距離」を「サポート開口下端１５ａと上サポート２０との距離」と呼ぶ。さらに、「サポート開口１５の内部における、サポート開口１５の上端１５ｂと下サポート３０との距離」を「サポート開口上端１５ｂと下サポート３０との距離」と呼び、「サポート開口１５の内部における、サポート開口１５の上端１５ｂと上サポート２０との距離」を「サポート開口上端１５ｂと上サポート２０との距離」と呼ぶ。
【００２９】
上述したように、下サポート３０は付勢部材６によって展開位置に付勢されている。したがって、下サポート３０および上サポート２０は、付勢部材６の付勢力に抗して退避位置に向けて状態変化する。そしてこのとき、付勢部材６には付勢力が蓄積される。
【００３０】
図２に示す小容器支持位置から、上サポート２０および下サポート３０をさらに回動させると、サポート部材２は図４に示す大容器支持位置に状態変化し、大径の容器９１の側面を支持可能になる。つまり、大径の容器９１が上サポート２０をさらに下方に向けて押圧すると、容器に押圧された上サポート２０が第１軸支部２１を中心としてさらに回動する。上サポート２０の第１先端部２２はさらに下方かつ退避空間８１側に向けて位置変化し、下サポート３０の第２先端部３２はさらに上方かつ退避空間８１側に向けて位置変化して、サポート部材２は全体として収容空間８０から退避空間８１に向けてさらに位置変化し、図４に示す大容器支持位置に配置される。そして、サポート開口下端１５ａと下サポート３０との距離はさらに大きくなり、サポート開口下端１５ａと上サポート２０との距離はさらに小さくなる。なお、このときサポート開口上端１５ｂと上サポート２０との距離は大きくなる。しかし、このとき、サポート開口１５は退避空間８１側から上サポート２０によって覆われる。このため収容空間８０側からサポート開口１５を見ると、上サポート２０が見えるだけであり、付勢部材６や蓋部７の内部は視認され難い。このため、退避位置においても、実施例１の容器ホルダは意匠性に優れる。
【００３１】
なお、サポート部材２は、大容器支持位置よりもさらに退避空間８１側の位置、すなわち、図５に示す退避位置に配置され得る。図４および図５に示すペットボトル等の、サポート部材２で支持する部分がくびれ、かつ、底部が膨らんでいる大径の容器９１を容器ホルダに収容する場合には、サポート部材２は、小容器支持位置から図５に示す退避位置にまで一旦状態変化する。そしてその後、図４に示す大容器支持位置に状態変化する。また、この種の容器９１を容器ホルダから取り出す場合には、サポート部材２は、図４に示す大容器支持位置から図５に示す退避位置にまで一旦状態変化する。そしてその後、図２に示す小容器保持位置を経て図３に示す展開位置に状態変化する。
【００３２】
図５に示す退避位置において、サポート部材２の略全体が退避空間８１に配置され、付勢部材６に蓄積された付勢力は最大となる。また、サポート開口下端１５ａと下サポート３０との距離は最大となり、サポート開口下端１５ａと上サポート２０との距離は最小となる。またこのとき、収容空間８０へのサポート部材２の露出量は、サポート部材２が展開位置にあるときに比べて小さくなる。サポート部材２の上サポート２０および下サポート３０は折り重ねられ、このときのサポート部材２の外形は、サポート部材２が展開位置にあるときに比べて小さくなる。さらに、下サポート３０の大部分は上サポート２０の凹部２９に収容されて上サポート２０に覆われている。このため下サポート３０は、図６に示すように、収容空間８０側からはほぼ視認されない。
【００３３】
このように、実施例１の容器ホルダは、収容空間８０に出入り可能なサポート部材２を有し、サポート部材２によって容器の側面を支持可能であるため、大径の容器９１から小径の容器９０まで種々の形状の容器を安定して収容できる。
【００３４】
また、サポート部材２を上サポート２０と下サポート３０の２部材で構成することで、退避位置におけるサポート部材２の外形を小さくでき、大きな退避空間８１を必要としない。このため、実施例１の容器ホルダは小型化できる。
【００３５】
また、上サポート２０および下サポート３０が別々に軸支され、かつ、上サポート２０の第１先端部２２と下サポート３０の第２先端部３２とは、互いに相対位置変化可能であるように係合している。このため上サポート２０と下サポート３０とは互いに連動するものの、サポート部材２全体としての上下方向の位置変化量は小さい。つまり、実施例１の容器ホルダによると、展開位置におけるサポート部材２の露出量を充分な大きさに維持しつつ、展開位置から退避位置に至るまでのサポート部材２の下方に向けた位置変化量を充分に小さくできる。このため、図６に示すように、サポート部材２が展開位置にあるときに、サポート開口下端１５ａと下サポート３０との距離を可及的に小さくでき、サポート開口１５の内部を視認され難いようにできる。したがって、容器ホルダを嵩張らないようにでき、かつ、容器ホルダの意匠性を向上させ得る。
【００３６】
また、サポート部材２が展開位置から退避位置に状態変化する際に、下サポート３０が上方に向けて回動し、サポート開口下端１５ａと下サポート３０との距離が大きくなる。したがって、展開位置においては、サポート開口下端１５ａと下サポート３０との距離は最小となる。このことによって、収容空間８０に容器を収容していないとき、つまり、容器によってサポート部材２およびサポート開口１５が遮られていないときにも、サポート開口１５が視認され難い。このことによっても容器ホルダの意匠性はさらに向上する。
【００３７】
また下サポート３０の少なくとも一部は上サポート２０の凹部２９に収容され、下サポート３０は上サポート２０に覆われている。このため、図６に示すように、収容空間８０側から、特に収容空間８０の上側からは、下サポート３０と上サポート２０との継ぎ目が視認され難い。このことによっても、実施例１の容器ホルダは意匠性に優れる。
【００３８】
なお、第２軸支部３１は上サポート２０の移動軌跡の外部に位置し、かつ、第１軸支部２１は下サポート３０の移動軌跡の外部に位置している。第１軸支部２１および第２軸支部３１をこのように配置することで、展開位置におけるサポート部材２の露出量を大きくでき、かつ、展開位置におけるサポート開口下端１５ａと下サポート３０との距離をより小さくできる。
【００３９】
（実施例２）
実施例２の容器ホルダは、付勢部材６としてつる巻きバネに変えてトーションバネを用いたこと、下サポート３０に凹部２９を設けて上サポート２０の第１先端部２２を下サポート３０の第２先端部３２で覆ったこと、蓋部７を持たず、上サポート２０の第１軸支部２１および下サポート３０の第２軸支部３１がケース１の側壁１２に軸支されていること以外は、実施例１の容器ホルダと略同じものである。実施例２の容器ホルダの動作を模式的に表す説明図を図７に示す。
【００４０】
図７に示すように、実施例２の容器ホルダにおいても、上サポート２０の第１軸支部２１は下サポート３０の第２軸支部３１よりも上側に配置され、第１軸支部２１は第１先端部２２よりも上側に配置され、第２軸支部３１は第２先端部３２よりも下側に配置されている。また、下サポート３０における第２先端部３２側の部分には凹部２９が設けられ、上サポート２０における第１先端部２２側の部分は凹部２９の内部に収容されている。したがって、下サポート３０は上サポート２０を下側かつ収容空間８０側から覆う。
【００４１】
展開位置において、サポート開口下端１５ａと下サポート３０との距離は最小であり、サポート開口下端１５ａと上サポート２０との距離は最大である。そして、サポート部材２が展開位置から退避位置に状態変化する際に、下サポート３０の第２先端部３２は上方に向けて位置変化し、サポート開口下端１５ａと下サポート３０との距離は大きくなり、下サポート３０はサポート開口１５の下端１５ａに干渉されることなく展開位置から退避位置に位置変化する。したがって、展開位置におけるサポート開口下端１５ａと下サポート３０との距離は小さく、収容空間８０に容器を収容していないときにも、サポート開口１５が視認され難い。したがって、実施例２の容器ホルダは実施例１の容器ホルダと同様に意匠性に優れる。
【００４２】
付勢部材６はトーションバネからなり、付勢部材６の一端はケース１に固定され、他端は下サポート３０に固定されている。下サポート３０の下ガイド部３５は溝状をなし、上サポート２０の上ガイド部２５はピン状をなす。上ガイド部２５は下ガイド部３５に対してスライド可能に係合している。したがって、実施例２の容器ホルダにおいても、上サポート２０と下サポート３０とは、第１先端部２２と第２先端部３２とが互いに相対位置変化可能であるように係合し、互いに連動する。
【００４３】
付勢部材６は、下サポート３０を展開位置に向けて付勢する。付勢部材６の付勢力によって下サポート３０が展開位置に向けて回動すると、下サポート３０に従動して、上サポート２０もまた展開位置に向けて回動する。実施例２の容器ホルダは、付勢部材６としてトーションバネを用いているため、付勢部材６を固定するための蓋部７が不要になる。このため容器ホルダをより小型化できる。実施例２の容器ホルダにおける退避空間８１は、サポート開口１５の外側に設けられた解放空間である。
【００４４】
なお、本発明の容器ホルダにおける付勢部材６は、サポート部材２を展開位置に向けて付勢できれば良く、コイルバネや板バネ等のバネに限定されない。
【００４５】
（その他）
本発明は、上記し且つ図面に示した実施形態にのみ限定されるものではなく、要旨を逸脱しない範囲内で適宜変更して実施できる。また、実施形態に示した各構成要素は、それぞれ任意に抽出し組み合わせて実施できる。
【産業上の利用可能性】
【００４６】
本発明の容器ホルダの用途は特に限定されず、様々な装置や備品等に配設できる。例えば、車両用内装部材として車両のコンソールボックス、インストルメントパネル等に配設しても良いし、或いは、備品用部材として劇場用の椅子や各種の家具、調度品に配設しても良い。
【符号の説明】
【００４７】
１：ケース                    １２：側壁
１５：サポート開口            １５ａ：サポート開口の下端
２：サポート部材
２０：上サポート              ２１：第１軸支部          ２２：第１先端部
３０：下サポート              ３１：第２軸支部          ３２：第２先端部
２９：凹部                    ６：付勢部材              ８０：収容空間
【図１】
2015217854.tif 000003
【図２】
2015217854.tif 000004
【図３】
2015217854.tif 000005
【図４】
2015217854.tif 000006
【図５】
2015217854.tif 000007
【図６】
2015217854.tif 000008
【図７】
2015217854.tif 000009
【図８】
2015217854.tif 000010
【図９】
2015217854.tif 000011
【図１０】
2015217854.tif 000012
【図１１】
2015217854.tif 000013